(57)【要約】既存のシステムにおいて交換冷媒として用いることができ、特に既存のシステムにおいてＲ−４０４Ａを部分的に置き換えるために用いることができる、ＨＦＣ−３２、ＨＦＣ−１２５、トランス−ＨＦＯ−１２３４ｚｅ、ＨＦＣ−１３４ａ、及びＨＦＯ−１２３４ｙｆを含む方法及び組成物を開示する。また、ＨＦＯ−１２３４ｙｆ、トランス−ＨＦＯ−１２３４ｚｅ、ＨＦＣ−１３４ａ、ＨＦＣ−１４３ａ、ＨＦＣ−１２５、及びＨＦＣ−３２を含む、冷却システム、方法、及び組成物も開示する。【選択図】なし【特許請求の範囲】
【請求項１】
（ａ）流体連絡している少なくとも１つの圧縮機、凝縮器、及び蒸発器；
（ｂ）（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、システム内に含まれている冷媒；
を含む冷却システム。
【請求項２】
冷媒が、
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；
を含む、請求項１に記載の冷却システム。
【請求項３】
冷媒が、
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ-３２；
を含む、請求項１に記載の冷却システム。
【請求項４】
冷媒が、
（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約約３２％のＨＦＣ−１４３ａ；
（ｖ）約３３％〜約３７％のＨＦＣ−１２５；及び
（ｖｉ）約１０％〜約１６％のＨＦＣ−３２；
を含む、請求項１に記載の冷却システム。
【請求項５】
冷却システムが中温冷却システムである、請求項１〜４のいずれかに記載の冷却システム。
【請求項６】
冷却システムが低温冷却システムである、請求項１〜４のいずれかに記載の冷却システム。
【請求項７】
冷却システムが元々はＲ−４０４Ａと共に用いるように設計されていた、請求項１〜６のいずれかに記載の冷却システム。
【請求項８】
冷媒が約２５００未満の地球温暖化係数を有する、請求項１〜７のいずれかに記載の冷却システム。
【請求項９】
冷媒が約１５００未満の地球温暖化係数を有する、請求項１〜８のいずれかに記載の冷却システム。
【請求項１０】
ポリオールエステル（ＰＯＥ）及びポリアルキレングリコール（ＰＡＧ）から選択される潤滑剤を更に含む、請求項１〜９のいずれかに記載の冷却システム。
【請求項１１】
（ａ）冷媒が満充填未満である熱伝達システムを与え；
（ｂ）工程（ａ）の満充填未満のシステムに、
（ｉ）約２０％重量〜約３０重量％のＨＦＣ−３２；
（ｉｉ）約２０重量％〜約３０重量％のＨＦＣ−１２５；
（ｉｉｉ）０重量％より多く約３０重量％までのＨＦＯ−１２３４ｙｆ；
（ｉｖ）０重量％より多く約３０重量％までのＨＦＯ−１２３４ｚｅ；及び
（ｖ）約１５重量％〜約３０重量％のＨＦＣ−１３４ａ；（ここで、重量パーセントは成分（ｉ）〜（ｖ）の合計を基準とする）
を含む再充填冷媒組成物を加え、かかる添加工程によって少なくとも実質的に満充填のシステムを生成させる；
ことを含む、既存の熱伝達システムを再充填する方法。
【請求項１２】
再充填後の冷媒が、システム内の冷媒の全重量を基準として約２５重量％〜約７５重量％の再充填冷媒をその中に含む、請求項１１に記載の方法。
【請求項１３】
工程（ａ）における冷媒がＲ−４０４Ａを含む、請求項１１又は１２に記載の方法。
【請求項１４】
再充填組成物が、０重量％より多く約１５重量％までのＨＦＯ−１２３４ｚｅ、及び約１０重量％〜約３０重量％のＨＦＯ−１２３４ｙｆを含む、請求項１１〜１３のいずれかに記載の方法。
【請求項１５】
再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、請求項１１〜１３のいずれかに記載の方法。
【請求項１６】
再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、請求項１１〜１３のいずれかに記載の方法。
【請求項１７】
再充填後の冷媒が、システム内の冷媒の全重量を基準として約３０重量％〜約７０重量％の再充填冷媒をその中に含む、請求項１１〜１６のいずれかに記載の方法。
【請求項１８】
熱伝達システムが中温冷却システムである、請求項１１〜１７のいずれかに記載の方法。
【請求項１９】
熱伝達システムが低温冷却システムである、請求項１１〜１７のいずれかに記載の方法。
【請求項２０】
（ａ）既存の熱伝達流体としてＨＦＣ−４０４Ａを含む既存の熱伝達システムを与え；
（ｂ）既存の熱伝達流体の少なくとも一部をシステムから除去して、満充填未満のシステムを生成させ；
（ｃ）満充填未満のシステム中に、
（ｉ）約２０％重量〜約３０重量％のＨＦＣ−３２；
（ｉｉ）約２０重量％〜約３０重量％のＨＦＣ−１２５；
（ｉｉｉ）０重量％より多く約１５重量％までのＨＦＯ−１２３４ｚｅ；
（ｉｖ）０重量％より多く約３０重量％までのＨＦＯ−１２３４ｙｆ；及び
（ｖ）約１５重量％〜約３０重量％のＨＦＣ−１３４ａ；（ここで、重量パーセントは再充填冷媒中の成分（ｉ）〜（ｖ）の合計を基準とする）
を含む再充填冷媒を加える；
ことを含む、熱伝達システム内に含まれている既存の熱伝達流体を交換する方法。
【請求項２１】
交換後の熱伝達流体が、システム内の冷媒の全重量を基準として約２５重量％〜約７５重量％の再充填冷媒をその中に含む、請求項２０に記載の方法。
【請求項２２】
再充填組成物が、０重量％より多く約１５重量％までのＨＦＯ−１２３４ｚｅ、及び約１０重量％〜約３０重量％のＨＦＯ−１２３４ｙｆを含む、請求項２０又は２１に記載の方法。
【請求項２３】
熱伝達システムが中温冷却システムである、請求項２０〜２２のいずれかに記載の方法。
【請求項２４】
熱伝達システムが低温冷却システムである、請求項２０〜２３のいずれかに記載の方法。
【請求項２５】
再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、請求項２０〜２４のいずれかに記載の方法。
【請求項２６】
再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、請求項２０〜２４のいずれかに記載の方法。
【請求項２７】
再充填後の冷媒が、システム内の冷媒の全重量を基準として約３０重量％〜約７０重量％の再充填冷媒をその中に含む、請求項２０〜２６のいずれかに記載の方法。
【請求項２８】
請求項１１〜２７のいずれかに記載の方法によって形成される再充填した熱伝達システム。
【請求項２９】
（ｉ）約２．５％〜約１５％のＨＦＯ−１２３４ｙｆ；
（ｉｉ）約０．５％〜約５％のＨＦＯ−１２３４ｚｅ；
（ｉｉｉ）約５％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む冷媒組成物。
【請求項３０】
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、請求項２９に記載の冷媒組成物。
【請求項３１】
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、請求項２９に記載の冷媒組成物。
【請求項３２】
（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約３２％のＨＦＣ−１４３ａ；
（ｖ）約３３％〜約３７％のＨＦＣ−１２５；及び
（ｖｉ）約１０％〜約１６％のＨＦＣ−３２；（ここで、パーセントは冷媒の重量を基準とする）
を含む、請求項２９に記載の冷媒組成物。
【発明の詳細な説明】
【技術分野】
【０００１】
[0001]本出願は、２０１５年１０月７日出願の米国仮出願６２／２３８，４８１に（参照として本明細書中に包含する）対する優先権を主張する。
[0002]本発明は、システムに交換流体を加えて環境的に改良されたシステムを形成する定期的な必要性を伴う熱伝達運転及び溶剤洗浄運転のような運転を実施する際に用いられる流体を含むタイプのシステムを再充填するための改良された組成物及び方法に関する。本方法は、環境的に改良されたシステムだけでなく、向上した熱伝達効率及び／又は能力を有するシステムも与え、中温及び低温冷却用途において特に有益である、熱伝達システムを再充填する改良された組成物及び方法、並びに特定の形態においてはＲ−４０４Ａ冷媒を含むシステムを再充填する方法に関する。本発明はまた、再充填したシステムにも関する。
【背景技術】
【０００２】
[0003]幾つかのシステムは、しばしばシステム内で循環させるか及び／又は他の形態で用いることによって運転を実施する際に用いられる１種類以上の流体を含む。システムの運転においてこのように用いられる結果として、流体が（例えば意図的でない漏出の結果として起こる場合のように）偶然に、或いは（流体が所望のレベルの有効性を失ったために）意図的にシステムから排出されることがしばしば見られる。例えば、機械的冷却システム、並びにヒートポンプ及び空調機のような関連する熱交換機器は、システム内で循環する冷媒液を用いて、工業的、商業的、及び家庭用途のための加熱又は冷却を与える。フルオロカーボンベースの流体は、多くの家庭用途、商業用途、及び工業用途において、空調、ヒートポンプ、及び冷却システムのようなシステムにおける作動流体(working fluid)などとしての幅広い使用が見出されている。フルオロカーボンはまた、溶剤洗浄運転のような他の用途における使用も見出されている。これらの用途においてこれまで用いられている組成物の幾つかの使用に関連する比較的高い地球温暖化係数などの幾つかの懸念される環境的な問題のために、幾つかのヒドロフルオロカーボン（ＨＦＣ）のような低いか又は更にはゼロのオゾン層破壊係数及び地球温暖化係数を有する流体を使用することが益々望ましくなっている。例えば、数多くの政府が地球環境を保護するための京都議定書に調印し、ＣＯ２放出（地球温暖化）の減少を表明している。而して、幾つかの高地球温暖化ＨＦＣに代わる低燃焼性又は不燃性で非毒性の代替物に対する必要性が存在する。
【０００３】
[0004]１つの重要なタイプの冷却システムは、「中温冷却システム」として知られている。かかるシステムは、家庭用冷却、商業用冷却、工業用冷却、及び輸送用冷却などの広範囲の用途において用いられ、食品の製造、流通、及び小売産業において通常的に用いられているので特に重要である。而して、かかるシステムは、消費者の手元に届く食品が新鮮で且つ食用に適することを確保する上で極めて重要な役割を果たす。かかる中温冷却システムにおいて、通常的に用いられる冷媒液は、ＨＦＣ−４０４Ａ（約４４：５２：４の重量比のＨＦＣ−１２５：ＨＦＣ−１４３ａ：ＨＦＣ−１３４ａの組合せは、当該技術においてＨＦＣ−４０４Ａ又はＲ−４０４Ａと呼ばれている）である。Ｒ−４０４Ａは、３９４３の高い推定温暖化係数（ＧＷＰ）を有する。
【０００４】
[0005]新規なより環境に優しい冷媒組成物を開発することが益々重要になっているが、環境的な見地から有利性を有する可能性がある見込みがある冷媒材料は、新規な冷媒が成功するために重要な１以上の他の特性に関連して不利益、幾つかの場合には重大な不利益を有することがしばしば見出されている。例えば、目標のシステム内で用いた際に減少したレベルの能力及び／又は効率を示す提案されている環境に優しい新規な冷媒は、運転上の見地から問題を引き起こすだけでなく、提案されている新規な冷媒のＧＷＰ又はＯＤＰにおける利益より勝る可能性がある二次的な環境的問題を引き起こす可能性もある。
【発明の概要】
【発明が解決しようとする課題】
【０００５】
[0006]既存の含まれている冷媒基材の可能性のある環境影響を減少させる努力に関係する他の困難性が、本出願人らによって突き止められた。より詳しくは、スーパーマーケットなどにおいて用いられる特に大型の中温冷却システムなどの幾つかの冷却システムは、１年に５０％までの量の既存の冷媒の漏出を起こすことが当該技術において知られている。したがって、本出願人らは、漏出した冷媒を新しいより環境に優しい冷媒に置き換えることによって、既存の含まれている冷媒基材の環境特性における改良を向上させることができることを認識した。同時に、経済的及び他の理由のために、残留している高ＧＷＰ冷媒をシステムから除去することはしばしば実現可能でない。したがって、漏出した高ＧＷＰ冷媒を新しい低ＧＷＰ冷媒に置き換える方法は、しばしば、従来存在している高ＧＷＰ冷媒、及びそれと交換される新しい低ＧＷＰ冷媒のいずれとも同じでない冷媒組成物を有するシステムを生成させる可能性がある。本出願人らは、かかる操作によって、成分濃度の多種多様な可能性を有する作動冷媒がしばしば生成することを見出した。その結果、改良されたＧＷＰを有するが、他の望ましくない特性を非意図的に有する可能性がある冷媒を含むシステムが生成する可能性がある。更に、本出願人らは、用いる交換冷媒及びそれを用いる量を慎重に選択することによって、特に中温システムにおいて、システムの能力及び運転効率などの種々の冷媒特性に関する相当な望ましい予期しなかった有利性を与えることができることを見出した。
【課題を解決するための手段】
【０００６】
[0007]本発明は、
（ａ）約２０％重量〜約３０重量％のＨＦＣ−３２；
（ｂ）約２０重量％〜約３０重量％のＨＦＣ−１２５；
（ｃ）約５重量％〜約２０重量％のＨＦＯ−１２３４ｚｅ；
（ｄ）約１５重量％〜約２５重量％のＨＦＣ−１３４ａ；及び
（ｅ）約１０重量％〜約２５重量％のＨＦＯ−１２３４ｙｆ；（ここで、パーセントは冷媒の全重量を基準とする）
を含む冷媒組成物を提供する。本冷媒組成物は、本明細書に記載する冷媒システムにおいて用いる場合、特に既存の冷却システムを再充填するために用いる場合に有利性を与える。特に、本冷媒組成物は、Ｒ−４０４Ａ冷媒を用いるシステムを再充填するために用いる。
【０００７】
[0008]本冷媒組成物には、
（ａ）約２４重量％〜約２７重量％のＨＦＣ−３２；
（ｂ）約２４重量％〜約２７重量％のＨＦＣ−１２５；
（ｃ）約５重量％〜約１０重量％のＨＦＯ−１２３４ｚｅ；
（ｄ）約１９重量％〜約２２重量％のＨＦＣ−１３４ａ；及び
（ｅ）約１５重量％〜約２５重量％のＨＦＯ−１２３４ｙｆ；（ここで、パーセントは冷媒の全重量を基準とする）
を含ませることができる。本冷媒組成物は、本明細書に記載する冷媒システムにおいて用いる場合、特に既存の冷却システムを再充填するために用いる場合に有利性を与える。特に、本冷媒組成物は、Ｒ−４０４Ａ冷媒を用いるシステムを再充填するために用いる。
【０００８】
[0009]本発明は、
（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の全重量を基準とする）
を含む冷媒組成物を提供する。
【０００９】
[0010]本発明は、
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約約２０％のＨＦＣ−３２；（ここで、パーセントは冷媒の全重量を基準とする）
を含む冷媒組成物を提供する。
【００１０】
[0011]本発明は、
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ-３２；（ここで、パーセントは冷媒の全重量を基準とする）
を含む冷媒組成物を提供する。
【００１１】
[0012]上記に記載した冷媒組成物のそれぞれは、既存のシステム、特にＲ−４０４Ａと共に用いるように設計されている既存のシステムにおいて冷媒として用いることができる。また、上記に記載した冷媒組成物のそれぞれは、既存の冷却システムを再充填するために用いることができる。特に、本組成物は、好ましくはＲ−４０４Ａ冷媒を用いる冷却システムを再充填するために与えられる。
【００１２】
[0013]本出願人らは、驚くべきことに、かかる冷媒組成物は、以下においてより詳細に説明するように、幾つかの冷却システムにおいて能力及び／又は効率の点で予期しなかった非常に望ましい有利性を同時に与えながら、多くの既存の冷媒を凌ぐ環境面での有利性を与えることができることを見出した。
【００１３】
[0014]他の形態は、
（ａ）流体連絡している少なくとも１つの圧縮機、凝縮器、及び蒸発器；
（ｂ）（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の全重量を基準とする）
を含む、システム内に含まれている冷媒組成物；
を含む冷却システム、好ましくは低温又は中温冷却システムを提供する。本冷却システムは、元々はＲ−４０４Ａと共に用いるように設計された冷却システムであってよい。
【００１４】
[0015]本発明は、
（ａ）Ｒ−４０４Ａを含む冷媒が満充填未満である熱伝達システムを与え；そして
（ｂ）工程（ａ）の満充填未満のシステムに、
（ｉ）約２０％重量〜約３０重量％のＨＦＣ−３２；
（ｉｉ）約２０重量％〜約３０重量％のＨＦＣ−１２５；
（ｉｉｉ）０重量％より多く約３０重量％までのＨＦＯ−１２３４ｙｆ；
（ｉｖ）約０重量％より多く約３０重量％までのＨＦＣ−１４３ａ；
（ｖ）０重量％より多く約３０重量％までのＨＦＯ−１２３４ｚｅ；及び
（ｖｉ）約１５重量％〜約３０重量％のＨＦＣ−１３４ａ；（ここで、重量パーセントは成分（ｉ）〜（ｖｉ）の合計を基準とする）
を含む再充填冷媒組成物を加え、かかる添加工程によって、約２５重量％〜約７５重量％の再充填冷媒組成物を含む冷媒組成物をその中に含んでいる少なくとも実質的に満充填のシステムを生成させる；
ことを含む、既存の熱伝達システムを再充填する方法を提供する。
【００１５】
[0011]本発明は、
（ａ）Ｒ−４０４Ａを含む冷媒が満充填未満である熱伝達システムを与え；そして
（ｂ）工程（ａ）の満充填未満のシステムに、
（ａ）約２０重量％〜約３０重量％のＨＦＣ−３２；
（ｂ）約２０重量％〜約３０重量％のＨＦＣ−１２５；
（ｃ）約５重量％〜約２０重量％のＨＦＯ−１２３４ｚｅ；
（ｄ）約１５重量％〜約２５重量％のＨＦＣ−１３４ａ；及び
（ｅ）約１０重量％〜約２５重量％のＨＦＯ−１２３４ｙｆ；（ここで、重量％は成分（ａ）〜（ｅ）の合計を基準とする）
を含む再充填冷媒組成物を加える；
ことを含む、既存の熱伝達システムを再充填する方法を提供する。添加工程によって、約２５重量％〜約７５重量％の再充填冷媒組成物を含む冷媒組成物をその中に含んでいる実質的に満充填のシステムを与えることができる。
【図面の簡単な説明】
【００１６】
【図１】[0016]図１は、Ｒ−４０４Ａ、及び種々の量のＲ−４０４ＡをＮ−４０組成物によって置き換えた実施例１の組成物に関して予測される結果を比較した実験結果の比較を示す。
【図２】[0017]図２は、Ｒ−４０４Ａの組成と、種々の量のＲ−４０４ＡをＮ−４０組成物によって置き換えた実施例１の組成物との比較を示す。
【図３】[0018]図３は、種々の量のＮ−４０組成物によるＲ−４０４Ａの置き換えに関する予測ＧＷＰ影響と実際のＧＷＰ影響の比較を示す。
【図４】[0019]図４は、最も低い間接的影響として予測されたものと比較した、種々の量のＮ−４０によって置き換えたＲ−４０４Ａを用いて運転した際に認められる間接的放出量（ＣＯ２の当量ｋｇ）の減少を示す。
【発明を実施するための形態】
【００１７】
[0020]本発明の方法及びシステムは、定期的に再充填することが必要な作動液(operating fluid)、特に多成分作動液を含むタイプの改良されたシステムを提供するために有用である。本発明において提供される再充填されたシステムは、元の充填物を有するシステムと比較して、好ましくは環境特性などの１以上の改良された特性を示す。例えば、元の充填物の一部がシステムから意図的又は非意図的に除去される可能性があり、システムの継続して信頼できる運転を達成するためにはこれを交換しなければならない。かかるシステムの例としては、蒸気脱脂システムのような溶剤洗浄システム、並びに空調、冷温冷却システム、及び中温冷却システムのような冷却システムが挙げられるが、これらに限定されない。当業者であれば、本明細書に含まれる教示を考慮して全てのかかるシステムにおいて本発明を使用することができるであろうと考えられる。
【００１８】
[0021]好ましいシステムとしては、中温冷却システムが挙げられる。かかるシステムは、食品の製造、流通、及び小売り産業のような多くの用途において重要であり、消費者の手元に届く食品が新鮮で且つ食用に適することを確保する上で極めて重要な役割を果たす。かかる中温冷却システムにおいて、通常用いられている冷媒液の１つはＨＦＣ−４０４Ａであり、これは３９４３の高い推定地球温暖化係数（ＧＷＰ）を有する。本発明者らは、本明細書において記載する冷媒組成物を特にシステム再充填手順の一部として用いる結果として、相当な環境面での有利性並びに能力及び／又は効率の有利性などの非常に望ましいが予期しなかった有利性を達成することができることを見出した。
【００１９】
[0022]より詳しくは、本発明は、（ａ）約１０重量％〜約３５重量％のＨＦＣ−３２；（ｂ）約１０重量％〜約３５重量％のＨＦＣ−１２５；（ｃ）０重量％より多く約３０重量％までのＨＦＯ−１２３４ｚｅ；（ｄ）約１０重量％〜約３５重量％のＨＦＣ−１３４ａ；及び（ｅ）約０重量％より多く約３０重量％までのＨＦＯ−１２３４ｙｆ；（ここで、パーセントは冷媒の全重量を基準とする）を含み、より好ましくはこれらから実質的に構成され、更により好ましくはこれらから構成される交換冷媒組成物（即ち再充填冷媒）の使用に関する。便宜上のみの目的のため（限定の目的ではない）に、ここに記載する成分（ａ）〜（ｅ）を有する冷媒（即ち、ＨＦＣ−３２、ＨＦＣ−１２５、ＨＦＯ−１２３４ｚｅ、ＨＦＣ−１３４ａ、及びＨＦＯ−１２３４ｙｆのブレンド）は、Ｎ−４０組成物と呼ぶ。言い換えれば、Ｎ−４０組成物とは、既存のシステムにおいて交換冷媒組成物として用いることができ、特に中温冷却システムのような既存のシステムにおいてＲ−４０４Ａを部分的に交換するために用いることができる、ＨＦＣ−３２、ＨＦＣ−１２５、ＨＦＯ−１２３４ｚｅ、ＨＦＣ−１３４ａ、及びＨＦＯ−１２３４ｙｆの冷媒組成物を指す。
【００２０】
[0023]ＨＦＣ及びＨＦＯ冷媒に関する略称を下記に与える。
【００２１】
【表１−１】
2018535296.tif 000002
【００２２】
[0024]本明細書中で他に示していない限りにおいて、ＨＦＯ−１２３４ｚｅはトランス−１２３４ｚｅを指す。
[0025]一形態においては、Ｎ−４０組成物は、（ａ）約２０重量％〜約３０重量％、好ましくは約２４重量％〜約２７重量％のＨＦＣ−３２；（ｂ）約２０重量％〜約３０重量％、好ましくは約２４重量％〜約２７重量％のＨＦＣ−１２５；（ｃ）約５重量％〜約２０重量％、好ましくは約５重量％〜約１０重量％のＨＦＯ−１２３４ｚｅ；（ｄ）約１５重量％〜約２５重量％、好ましくは約１９重量％〜約２２重量％のＨＦＣ−１３４ａ；及び（ｅ）約１０重量％より多く約２５重量％、好ましくは約１５重量％〜約２５重量％のＨＦＯ−１２３４ｙｆ；（ここで、パーセントは冷媒の全重量を基準とする）を含む。この組成物は、既存のシステムにおいて交換冷媒組成物として用いることができる。特に、本組成物は、中温冷却システムのような既存のシステムにおいてＲ−４０４Ａを部分的に交換するために用いることができる。
【００２３】
[0026]一形態においては、Ｎ−４０組成物は、（ａ）約２０重量％〜約３０重量％のＨＦＣ−３２；（ｂ）約２０重量％〜約３０重量％のＨＦＣ−１２５；（ｃ）約５重量％〜約２０重量％のＨＦＯ−１２３４ｚｅ；（ｄ）約１５重量％〜約２５重量％のＨＦＣ−１３４ａ；及び（ｅ）約１０重量％〜約２５重量％のＨＦＯ−１２３４ｙｆ；（ここで、パーセントは冷媒の全重量を基準とする）を含む。この組成物は、既存のシステムにおいて交換冷媒組成物として用いることができる。特に、本組成物は、中温冷却システムのような既存のシステムにおいてＲ−４０４Ａを部分的に交換するために用いることができる。
【００２４】
[0027]他の形態においては、Ｎ−４０組成物は、（ａ）約２４重量％〜約２７重量％のＨＦＣ−３２；（ｂ）約２４重量％〜約２７重量％のＨＦＣ−１２５；（ｃ）約５重量％〜約１０重量％のＨＦＯ−１２３４ｚｅ；（ｄ）約１９重量％〜約２２重量％のＨＦＣ−１３４ａ；及び（ｅ）約１５重量％〜約２５重量％のＨＦＯ−１２３４ｙｆ；（ここで、パーセントは冷媒の全重量を基準とする）を含む。この組成物は、既存のシステムにおいて交換冷媒組成物として用いることができる。特に、本組成物は、中温冷却システムのような既存のシステムにおいてＲ−４０４Ａを部分的に交換するために用いることができる。下表１にＮ−４０組成物を与える。
【００２５】
【表１−２】
2018535296.tif 000003
【００２６】
[0028]上記のＮ−４０組成物のそれぞれは、既存の冷却システムにおいて再充填冷媒組成物として用いることができる。特に、表１のＮ−４０組成物のそれぞれは、既存の冷却システムにおいてＲ−４０４Ａを部分的に交換するために用いることができる。冷却システムは中温冷却システムであってよい。而して、表１のＮ−４０組成物のそれぞれは、既存の中温冷却システムにおいてＲ−４０４Ａを部分的に交換するために用いることができる。
【００２７】
[0029]用語を本明細書において用いる時は、「再充填」とは、それぞれ冷媒又は溶剤のような既存の満充填未満の作動液、しかしながら満充填の少なくとも約２５％の冷媒を含む冷却及び溶剤洗浄システムなどの既存のシステムに、満充填又は実質的に満充填であるシステムを生成させるのに十分な量の本明細書に記載する交換流体、例えばＮ−４０組成物（即ち、ＨＦＣ−３２、ＨＦＣ−１２５、ＨＦＯ−１２３４ｚｅ、ＨＦＣ−１３４ａ、及びＨＦＯ−１２３４ｙｆのブレンド）を加える方法を指す。
【００２８】
[0030]本明細書において用いる「満充填」という用語は、少なくともシステムを運転するために規定された量の作動液（例えば冷媒又は溶剤）、及び／又は少なくともシステムが標準運転条件下で含むように設計されている量の作動液を含む、熱伝達又は溶剤洗浄システムのようなシステムを意味する。本明細書において用いる「実質的に満充填」という用語は、作動液が少なくとも９０重量％満充填されているシステムを指す。当業者であれば、本方法は、その条件のシステムを与える手段又は理由に関係なく、満充填又は実質的に満充填されていないシステムを再充填することに関して有利性及び有用性を有することを認識する。例として、本発明にしたがって満充填未満のシステムを意図的に生成させるために好ましくはＲ−４０４Ａなどの既存の冷媒の一部を除去することによって、既存の冷却システムの運転において有利性及び改良を達成することができると意図される。更なる例として、幾つかの状況においては、既存の冷却システムは、システムからの冷媒の漏出又は他の非意図的な減少の理由によって満充填未満の状態であってよいと意図される。当業者であれば、本明細書に含まれる教示に基づいて、本発明方法が、下記により完全に記載するように、これらの状況のいずれにおいても大きく且つ予期しなかった有利性をもたらす機会を与えることを認識するであろう。
【００２９】
[0031]本明細書において用いる「中温」システムという用語は、約−１５℃〜約０℃の範囲の少なくとも一部で運転する蒸発器を有する圧縮冷却システムを指し、凝縮器は約２０℃〜約５０℃の範囲の少なくとも一部の温度で運転する。
【００３０】
[0032]本明細書において用いる「低温」システムという用語は、約-４０℃〜約−１５℃の範囲の少なくとも一部で運転する蒸発器、及び約２０℃〜約５０℃の範囲の少なくとも一部で運転する凝縮器を有する圧縮冷却システムを指す。
【００３１】
[0033]驚くべきことに、本発明にしたがって冷却を生成する方法及び既存の冷却システムを再充填する方法、特に及び好ましくは中温システム、更により好ましくはＲ−４０４Ａ用に設計されているか及び／又はそれを含む中温システムを伴うかかる方法は、運転中のシステム内の冷媒組成物が下表２に示す量（全ての量は、「おおよそ」示されている量であるそれぞれの値に基づいて表される）の成分を含み、好ましくはこれらから実質的に構成される場合に予期しなかった有利性を達成することができる。
【００３２】
【表２】
2018535296.tif 000004
【００３３】
[0034]表２にしたがう組成物は、Ｎ−４０組成物（即ち表１に開示したもの）と、既存の冷却システム、特に中温冷却システム内の残留Ｒ−４０４Ａとの組合せから形成することができる。
【００３４】
[0035]本方法は、ＨＦＣ−３２、ＨＦＣ−１２５、ＨＦＯ−１２３４ｚｅ、ＨＦＣ−１３４ａ、及びＨＦＯ−１２３４ｙｆのＮ−４０組成物、特に上表１に与えるものを、Ｒ−４０４Ａを含む既存の熱伝達システム、好ましくはＲ−４０４Ａから実質的に構成される既存の冷媒を有する既存の熱伝達システムに、再充填システムを生成させるのに有効な条件下で加えることを含む。再充填の後は、システム内に含まれる冷媒は、再充填が完了した後のシステム内の冷媒の全重量を基準として約２５重量％〜約７５重量％のＮ−４０組成物を含んでいてよい。他の形態においては、システム内に含まれる冷媒は、再充填が完了した後のシステム内の冷媒組成物の全重量を基準として約３０％〜約７０％、約３５〜約６５％、又は約４０〜約６０％を含む。
【００３５】
[0036]本発明方法は、予期しなかったことに、Ｒ−４０４Ａを用いて運転している同じシステムと比べて環境的に改良されているだけでなく、予期しなかったことに運転中に予期していたものよりも大きな能力及び／又は効率を示す運転している冷却システムを達成する能力を与える。より特には、再充填システムの能力は、再充填の前の同じシステムの能力よりも少なくとも約１０５％高く、更により好ましくは少なくとも約１０７％高い。
【００３６】
[0037]本発明の他の好ましい形態においては、再充填システムの効率（ＣＯＰによって測定）は、再充填の前のシステムのＣＯＰよりも少なくとも約１０５％高く、より好ましくは少なくとも約１０７％高く、更により好ましくは少なくとも約１０９％高い。
【００３７】
[0038]好ましい態様によれば、本発明方法は、約２５％〜約７５％の、ＨＦＣ−３２、ＨＦＣ−１２５、ＨＦＯ−１２３４ｚｅ、ＨＦＣ−１３４ａ、及びＨＦＯ−１２３４ｙｆのＮ−４０組成物を含み、再充填システム内の冷媒の残りは残留Ｒ−４０４Ａである冷媒を含む再充填冷却システムを生成させる条件下で行う。
【００３８】
[0039]再充填システムを形成するために用いられるＮ−４０組成物は、再充填中にシステム中に導入されるＮ−４０組成物中に含まれる成分（ａ）〜（ｅ）の合計を基準として、（ａ）約２０〜約３０％のＨＦＣ−３２、（ｂ）約２０〜約３０％のＨＦＣ−１２５、（ｃ）約１５〜約２５％のＨＦＯ−１２３４ｙｆ、（ｄ）約２０〜約３０％のＨＦＣ−１３４ａ、及び（ｅ）約５〜約１０％のトランス−ＨＦＯ−１２３４ｚｅを含む。再充填システムを形成するために用いられるＮ−４０組成物は、表１に与えるＨＦＣ−３２、ＨＦＣ−１２５、ＨＦＯ−１２３４ｚｅ、ＨＦＣ−１３４ａ、及びＨＦＯ−１２３４ｙｆの任意の組成を有していてよい。これらのＮ−４０組成物の組成を用いることによって、ＨＦＣ−４０４Ａと比べて実質的に減少したＧＷＰを有し、また実質的に不燃性及び非毒性でもあり、上記に記載した向上した（即ちＲ−４０４Ａと比べて向上した）能力及び／又はＣＯＰを有する冷媒などの非常に有利な特性を有する再充填熱伝達システムを達成する能力が与えられる。
【００３９】
[0040]また本発明の方法及びシステムを用いて、再充填中温冷却システムの再充填及び／又は製造に関連して利益を与えることができる。かかる中温システム及び方法の例は、家庭用冷蔵庫の生鮮食品室内で冷却を与えることを含む。
【００４０】
熱伝達組成物：
[0041]例えば表１に与えるＮ−４０組成物を既存の冷却システムにおける冷媒の交換品、特に部分交換品として用いると、特に中温冷却システムにおいて用いる場合に予期しなかった有利性を有する新規な熱伝達組成物が与えられる。これらの組成物は、一般に、熱伝達用途において、即ち加熱及び／又は冷却媒体として有用であるが、上述したように、中温及び低温冷却システム、好ましくはこれまでＨＦＣ−４０４Ａを用いていた低温及び／又は中温冷却システムにおいて特に有用である。
【００４１】
[0042]本明細書の表１及び表２において与える組成物を用いると、特に好ましいシステム及び方法において用いる場合に本組成物によって示される複数の特性の有利であるが達成するのが困難な組合せが与えられ、これらの同じ成分を規定範囲の実質的に外側で用いることは、本発明の組成物、システム、又は方法の重要な特性の１以上に対して有害な効果を与える可能性がある。
【００４２】
[0043]上述したように、本発明の組成物は、特に低いＧＷＰなどの複数の特性の達成するのが困難な組合せを達成することができる。非限定的な例として、下表Ｂに、本発明の幾つかの組成物によって示される、３９４３のＧＷＰを有するＨＦＣ−４０４ＡのＧＷＰと比べたＧＷＰにおける実質的な改良を示す。
【００４３】
【表３】
2018535296.tif 000005
【００４４】
[0044]本発明は、任意の特許請求する方法における任意の組成物Ａ１〜Ａ４の使用を包含する。
[0045]本発明の組成物には、組成物の特定の機能性を向上させるか、又は組成物に特定の機能性を与えるか、或いは幾つかの場合には組成物のコストを減少させる目的で他の成分を含ませることができる。例えば、本発明による冷媒組成物、特に蒸気圧縮システムにおいて用いるものは、一般に組成物の約３０〜約５０重量％の量、及び幾つかの場合には場合によって約５０％より多い量、並びに他の場合においては約５％のような低い量の潤滑剤を含む。ヒドロフルオロカーボン（ＨＦＣ）冷媒と一緒に冷却機内で用いられるポリオールエステル（ＰＯＥ）及びポリアルキレングリコール（ＰＡＧ）のような通常的に用いられる冷却潤滑剤を、本発明の冷媒組成物と一緒に用いることができる。商業的に入手できるエステルとしては、Emery 2917（登録商標）及びHatcol 2370（登録商標）として入手できるネオペンチルグリコールジペラルゴネートが挙げられる。他の有用なエステルとしては、ホスフェートエステル、二塩基酸エステル、及びフルオロエステルが挙げられる。好ましい潤滑剤としては、ポリアルキレングリコール及びポリオールエステルが挙げられる。ポリアルキレングリコールは、可動型空調のような用途において現在用いられているので、幾つかの態様において非常に好ましい。勿論、異なるタイプの複数の潤滑剤の異なる混合物を用いることができる。
【００４５】
[0046]本明細書において言及していない他の添加剤も、本発明の新規で基本的な特徴から逸脱することなく、本明細書に含まれる教示を考慮して当業者によって含ませることができる。
【００４６】
熱伝達方法及びシステム：
[0047]本方法、システム、及び組成物は、一般に広範囲の熱伝達システム、特に空調（静置型及び可動型空調システムの両方を含む）、冷却、ヒートポンプシステムなどのような冷却システムに関連して有用である。本方法、システム、及び組成物は、既存の冷媒システム中のＨＦＣ冷媒を交換することに関連して特に有用である。幾つかの好ましい形態においては、本発明の組成物は、元々は例えばＲ−４０４ＡのようなＨＦＣ冷媒と共に用いるように設計されている冷却システムにおいて用いる。本発明の好ましい組成物は、Ｒ−４０４Ａの望ましい特性の多くを示すが、同時にＲ−４０４Ａと実質的に同等であるか、又はこれに実質的に匹敵するか、好ましくはこれと同等に高いか、或いはこれよりも高い能力及び／又は効率を有しながら、Ｒ−４０４Ａのものよりも実質的に低いＧＷＰを有する傾向がある。特に、本組成物は、比較的低く、好ましくは約２５００未満、より好ましくは約２４００未満、更により好ましくは約２３００以下の地球温暖化係数（ＧＷＰ）を示す傾向がある。幾つかの態様においては、本組成物は約１５００以下のＧＷＰを有する。
【００４７】
[0048]本発明において与える冷媒組成物は、Ｒ−４０４Ａを含んでいるか、及び又は元々はこれと共に用いるように設計されている冷却システムにおいて用いることができる。上記の表１及び表２において与えられる組成物のそれぞれは、それ自体でＲ−４０４Ａのための交換品として用いることができる。これらの冷媒組成物は、ポリアルキレングリコールオイルなどのような従来Ｒ−４０４Ａと共に用いられている潤滑剤を含む冷却システムにおいて用いることができ、或いは伝統的にＨＦＣ冷媒と共に用いられている他の潤滑剤と共に用いることができる。本明細書において用いる「冷却システム」という用語は、一般に、冷却を与えるために冷媒を用いる任意のシステム又は装置、或いはかかるシステム又は装置の任意の部品又は部分を指す。かかる冷却システムとしては、例えば空調機、電気冷蔵庫、冷凍機（遠心圧縮機を用いる冷凍機を含む）などが挙げられる。
【００４８】
[0049]本明細書において記載する熱伝達組成物、特に表１及び表２において与える組成物を用いて、システムを実質的に改変する必要を伴うか又はその必要なしに、且つ既存の冷媒を完全に排液する必要を伴うか又はその必要なしに、既存の冷却システムを改装することができる。一形態においては、冷媒充填物の一部（その部分は、その時点でシステム内に存在している充填物の５％、１０％、２５％、５０％、７５％などより多くを含んでいてよい）をシステムから排液する。次に、除去された冷媒充填物を、ここで議論するＮ−４０組成物（即ち表１に与える組成物）で置き換える。
【００４９】
[0050]或いは、既存のシステムを部分的に排液するのではなく、部分的な冷媒の漏出の後にＮ−４０冷媒組成物（例えば表１に与える組成物）を用いて既存のシステムを「満タン」にすることができる。例えば、多くの商業的システムは比較的高い冷媒漏出速度を有しており、このためにシステムの寿命にわたって冷媒を定期的に加えることが必要である。本発明の１つの方法においては、冷媒システムはシステムにおける全充填量又は設計充填量未満の冷媒が与えられており（これは、システムからの冷媒の漏出の結果として起こる可能性がある）、好ましくは通常の再充填メンテナンス中に本発明のＮ−４０組成物を用いてシステムを再充填する。例えば、システムからＲ−４０４Ａが漏出した場合に、ここに示すＮ−４０組成物（例えば表１を参照）の１つを再充填する。本方法は、システムの能力を実質的に維持し、エネルギー効率を維持又は向上させ（より低い電気消費量であり、これはユーザーに対してより低い運転コストに等しい）、そしてシステム内に含まれる冷媒のＧＷＰを低下させ（環境影響を低下させ）ながら、これを行うことを可能にする。かかる方法は、どのくらい多くの冷媒が漏出したかに関係なく、好ましくはブレンド計算を行うことなしに実施することができ、システムの所定のメンテナンススケジュールから逸脱することなく、既存のシステムの再充填に関係する環境影響を減少させる簡単な（及び低コストの）方法を提供する。
【００５０】
[0051]上記によれば、比較的多い量のＲ−４０４Ａであっても、Ｎ−４０組成物（例えば表１を参照）と組み合わせて用いると、非意図的な汚染物質の形態であるか、意図的に加える成分としてか、又はシステムの交換又は再充填の後に残留している冷媒としてかにかかわらず、冷媒及び／又は冷却システムの性能に対して実質的に有害な効果を有しない。反対に、Ｒ−４０４Ａ中の比較的多い量のＮ−４０組成物は、非意図的な汚染物質の形態であるか或いは意図的に加えられる成分としてかにかかわらず、冷媒の性能に対して実質的に有害な影響を有しない。したがって、他の場合においてはかかる添加量又は汚染物質の存在によって冷媒を添加量又は汚染物質と一緒に用いることができないだろうが、本発明において与える方法によれば、複数の冷媒のかかる混合物を使用することは所期の目的のために一般に許容できるであろう。したがって、本発明の方法及び組成物の１つの有利性は、作業性の観点から、Ｒ−４０４Ａが低いＧＷＰの冷媒を全く含まないこと、及びその逆を確保する大きな動機付けが一般に存在せず、かかる状況下においては、本発明によって与えられる方法の不存在下においては、多くの既存の自動パージシステムの運転に関して実質的で重大な問題が生じるだろうということである。しかしながら、本方法はこれらの問題を克服し、システムに信頼性、安全性、及び効率を加える。
【実施例】
【００５１】
[0052]以下の実施例は本発明を例示する目的のために与えるものであり、その範囲を限定しない。
比較例１：
[0053]本比較例１に関して、及び以下の実施例に関しては、他に示していない限りにおいて、中温の商業冷却システム装置を用いる。このシステムは、ウォークインフリーザー／クーラー用の商業的に入手できる凝縮ユニット及び蒸発器を用いている。凝縮ユニットは次の通りである。
【００５２】
（ａ）Keeprite Refrigeration, Brantford, Ontarioによって製造；
（ｂ）４６０ボルト／６０Ｈｚ／３相電力を装備したモデルK350L2屋外用空冷低温凝縮ユニット；
（ｃ）低温条件のために必要な冷却装置、ソレノイドを有するオイル分離器、受容器、２バルブ満液型上部圧力制御システム、及び標準運転制御装置を有する圧縮機モデル2DF-0300 Copeland圧縮機。
【００５３】
[0054]ウォークインクーラーは次の通りである。
（ａ）Keeprite Refrigerationによって製造；モデルKUCB204DED；電気霜取装置、薄型ＤＸ供給蒸発器を有し、２３０ボルト／６０Ｈｚ／１相の電力を用いる；
（ｂ）２０°Ｆの飽和吸入温度、及び１０°Ｆの空気／冷媒温度差、並びに３，２００ＣＦＭの空気流のみかけ空気流速において１７，３４０ＢＴＵＨのみかけ能力；
（ｃ）Sporlan分配器、及びＴＸＶ（Ｒ−４０４Ａ用に設計されたＴＸＶを用いた）。
【００５４】
[0055]ウォークインフリーザー／クーラーとして働かせた環境制御チャンバー内に蒸発器を設置した。周囲温度条件を維持するための他の温度制御チャンバー内に凝縮器ユニットを設置した。冷媒の質量流量、それぞれの構成部品の前後の冷媒の圧力及び温度、蒸発器及び凝縮器の導入／排出空気温度及び流量、並びに凝縮ユニット及び蒸発器への電力を測定するための装置をシステムに加えた。
【００５５】
[0056]通常のフリーザー温度（３５°Ｆ）及び９５°Ｆの通常の設計周囲条件で試験を行った。冷媒温度は、通常はチャンバー温度よりも５°Ｆ〜１５°Ｆ低かったことを留意すべきである。ＴＸＶによって与えた蒸発器過熱は、当初は基線で１０°Ｆに設定した。
【００５６】
[0057]Ｒ−４０４Ａを用い、Ｒ−４０４Ａと共に用いるように設計されたＴＸＶを用いてユニットを運転した。Ｒ−４０４Ａを用いたシステムに関する結果を下表Ｃ１Ａに与える。
【００５７】
【表４】
2018535296.tif 000006
【００５８】
[0058]Ｒ−４０４Ａを用いた実際の運転に関して得られた結果に基づいてシステムの運転をシミュレートして、下表Ｃ１Ｂ−予測値における通りの種々の濃度の成分Ｒ−３２：Ｒ１２５：Ｒ１３４ａ：ＨＦＯ−１２３４ｚｅ：ＨＦＯ−１２３４ｙｆを用いたシステムの運転を予測し、それぞれの組成物に関する能力及び効率のシミュレーションも行う。
【００５９】
【表５】
2018535296.tif 000007
【００６０】
実施例１：
[0059]比較例１においてシミュレートした組成物Ｅ１〜Ｅ５を調製し、比較例１において記載した実際のシステムにおいて試験した。能力及び効率に関するこの試験作業の結果を下表Ｅ１Ａに報告する。
【００６１】
【表６】
2018535296.tif 000008
【００６２】
[0060]予測結果と比べた実験結果の比較を図１に示す。
[0061]図１及び２において示されるように、本発明者らは、驚くべきことに、能力も効率も成分の幾つかの濃度に関して予測されたようには挙動せず、予測値からの変動は相当なものであるだけでなく、非常に有利でもあることを見出した。
【００６３】
比較例２：
[0062]上記の比較例１において得られた予測データを用いて、１年間の運転（１年あたり３６５日、及び０．８の負荷サイクル）並びに２０キログラム（ｋｇ）の初期冷媒充填量に基づいて、それぞれのブレンドのエネルギー使用量、並びに得られる間接的地球温暖化影響（ＣＯ２当量（キログラム））を算出した。間接的地球温暖化影響は、システムを予測される効率及び能力下で運転するのに必要なエネルギーの結果として生じる大気中への非冷媒化合物の放出に基づく大気中への１種類又は複数のＧＷＰ化合物の予測される間接的放出量に基づいて算出される。これらのパラメーターに基づいて、表Ｃ２Ａにおいて報告する以下の間接的ＧＷＰ放出量及びエネルギー使用量の値が求められた。
【００６４】
【表７】
2018535296.tif 000009
【００６５】
実施例２：
[0063]上記の実施例１において得られた実際のデータを用い、比較例２に関して上記に記載したものと同じパラメーターに基づいて、それぞれのブレンドのエネルギー使用量、並びに得られる間接的地球温暖化影響（ＣＯ２当量（キログラム））を算出し、間接的ＧＷＰ放出量及びエネルギー使用量の値を算出し、下表Ｅ２Ａにおいて報告するように求められた。
【００６６】
【表８】
2018535296.tif 000010
【００６７】
[0064]上記に報告した結果は、本発明の好ましい形態の範囲内で運転することによる間接的ＧＷＰ放出量の、予測される最も低い間接的ＧＷＰ放出量と比べて劇的で予測しなかった減少を示している。これは、上表において報告した結果の図３において示す図によって示される。
【００６８】
[0065]図３によって示されるように、最も低い予測される間接的影響は、再充填によってシステム内に１００％のＮ−４０が与えられる場合に起こる（Ｅ５）。しかしながら、実際のデータは、予期しなかったことに、１００％のＮ−４０まで再充填するのではなく、その代わりに本明細書において開示する好ましい組成内（約２０％（Ｅ１）より多く、約８０％（Ｅ４）未満）で再充填することによって、間接的地球温暖化放出量の大きな減少を達成することができることを示している。これは図４によって示され、これは本発明にしたがって運転することによって認められるＧＷＰ放出量（ＣＯ２の当量ｋｇ）の、最も低い間接的影響として予測されるものと比べた減少を示している。
【００６９】
[0066]而して、この単一の仮説システムに基づくと、本発明にしたがって冷媒を再充填することによって、予期しなかったことに、ＧＷＰ化合物の間接的放出量が、１年あたり約１００キログラム〜約６００キログラムの量減少する。これは重要で予期しなかった結果である。
【００７０】
[0067]好ましい態様を参照して本発明を記載したが、発明の範囲から逸脱することなく、種々の変更を行うことができ、その構成要素を同等のものに置き換えることができることが当業者によって理解されるであろう。更に、その本質的な範囲から逸脱することなく本発明の教示にしたがって多くの修正を行って、特定の状況又は材料に対応させることができる。したがって、本発明は開示されている特定の態様に限定されず、本発明は添付の特許請求の範囲又は以後に加えられる任意の特許請求の範囲内の全ての態様を包含すると意図される。
【００７１】
[0068]本発明の幾つかの形態を下記に与える。
形態１：（ａ）流体連絡している少なくとも１つの圧縮機、凝縮器、及び蒸発器；
（ｂ）（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、システム内に含まれている冷媒；
を含む冷却システム。
【００７２】
形態２：冷媒が約３％〜約１５％のＨＦＯ−１２３４ｙｆを含む、形態１にしたがう冷却システム。
形態３：冷媒が約５％〜約１５％のＨＦＯ−１２３４ｙｆを含む、形態１又は２にしたがう冷却システム。
【００７３】
形態４：冷媒が約８％〜約１２％のＨＦＯ−１２３４ｙｆを含む、形態１〜３のいずれかにしたがう冷却システム。
形態５：冷媒が約１％〜約５％のＨＦＯ−１２３４ｚｅを含む、形態１〜４のいずれかにしたがう冷却システム。
【００７４】
形態６：冷媒が約２％〜約５％のＨＦＯ−１２３４ｚｅを含む、形態１〜５のいずれかにしたがう冷却システム。
形態７：冷媒が約２．５％〜約５％のＨＦＯ−１２３４ｚｅを含む、形態１〜６のいずれかにしたがう冷却システム。
【００７５】
形態８：冷媒が約７％〜約１５％のＨＦＣ−１３４ａを含む、形態１〜７のいずれかにしたがう冷却システム。
形態９：冷媒が約１０％〜約１５％のＨＦＣ−１３４ａを含む、形態１〜８のいずれかにしたがう冷却システム。
【００７６】
形態１０：冷媒が約２０％〜約３２％のＨＦＣ−１４３ａを含む、形態１〜９のいずれかにしたがう冷却システム。
形態１１：冷媒が約３３％〜約３７％のＨＦＣ−１２５を含む、形態１〜１０のいずれかにしたがう冷却システム。
【００７７】
形態１２：冷媒が約１０％〜約１６％のＨＦＣ−３２を含む、形態１〜１１のいずれかにしたがう冷却システム。
形態１３：（ａ）蒸気相の冷媒を放出する少なくとも１つの圧縮機を与え；
（ｂ）圧縮機から排出される冷媒蒸気と流体連絡しており、約２０℃〜約５０℃の範囲の温度で運転して液相の冷媒を生成させる少なくとも１つの凝縮器を与え；
（ｃ）凝縮器からの液相冷媒と流体連絡しており、約−４０℃〜約０℃の範囲の温度で運転して蒸気相の冷媒を生成させる蒸発器を与え；
（ｄ）システム内に、
（ｉ）約２．５％〜約１５％のＨＦＯ−１２３４ｙｆ；
（ｉｉ）約０．５％〜約５％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む冷媒を与える；
ことを含む、中温冷却システムを用いて冷却を与える方法。
【００７８】
形態１４：（ａ）冷媒が満充填未満であり、特に冷媒がＲ−４０４Ａを含む熱伝達システムを与え；そして
（ｂ）工程（ａ）の満充填未満のシステムに、
（ｉ）約２０％重量〜約３０重量％のＨＦＣ−３２；
（ｉｉ）約２０重量％〜約３０重量％のＨＦＣ−１２５；
（ｉｉｉ）０重量％より多く約３０重量％までのＨＦＯ−１２３４ｙｆ；
（ｉｖ）０重量％より多く約３０重量％までのＨＦＯ−１２３４ｚｅ；及び
（ｖ）約１５重量％〜約３０重量％のＨＦＣ−１３４ａ；（ここで、重量パーセントは成分（ｉ）〜（ｖ）の合計を基準とする）
を含む再充填冷媒組成物を加える；
ことを含む、既存の熱伝達システムを再充填する方法。
【００７９】
形態１５：添加工程（ｂ）によって、約２５重量％〜約７５重量％の再充填冷媒を含む冷媒をその中に含んでいる少なくとも実質的に満充填のシステムを生成させる、形態１４の方法。
【００８０】
形態１６：再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、形態１４又は１５の方法。
【００８１】
形態１７：再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、形態１４又は１５の方法。
【００８２】
形態１８：再充填冷媒が、
２０〜３０重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、及び１０〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；又は
２４〜２７重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
を含む組成物から選択される、形態１４又は１５の方法。
【００８３】
形態１９：再充填組成物が約０．９：１．２〜約１．２：０．９のＨＦＣ−３２：ＨＦＣ−１２５の重量比を有する、形態１４〜１８のいずれかの方法。
形態２０：再充填組成物が、約２６重量％のＨＦＣ−３２、約２６重量％のＨＦＣ−１２５、約２１重量％のＨＦＣ−１３４ａ、約７重量％のＨＦＯ−１２３４ｚｅ、及び約２０重量％のＨＦＯ−１２３４ｙｆを含む、形態１４又は１５の方法。
【００８４】
形態２１：再充填組成物が、０重量％より多く約１５重量％までのＨＦＯ−１２３４ｚｅ、及び約１０重量％〜約３０重量％のＨＦＯ−１２３４ｙｆを含む、形態１４又は１５の方法。
【００８５】
形態２２：再充填物が約５：７〜約１：１の間のＲ１３４ａとＨＦＯ−１２３４ｚｅ及びＨＦＯ−１２３４ｙｆの組合せとの重量比を有する、形態１４〜２１の方法。
形態２３：ＨＦＯ−１２３４ｙｆを約２０％の量で再充填組成物中に与え、ＨＦＯ−１２３４ｚｅを約９％の量で与える、形態１４〜２２の方法。
【００８６】
形態２４：ＨＦＯ−１２３４ｙｆを約２６％の量で再充填組成物中に与える、形態１４の方法。
形態２５：少なくとも実質的に満充填のシステムが、約３０重量％〜約７０重量％の再充填冷媒を含む冷媒をその中に含んでいる、形態１４〜２４の方法。
【００８７】
形態２６：少なくとも実質的に満充填のシステムが、約３５重量％〜約６５重量％の再充填冷媒を含む冷媒をその中に含んでいる、形態１４〜２４の方法。
形態２７：少なくとも実質的に満充填のシステムが、約４０重量％〜約６０重量％の再充填冷媒を含む冷媒をその中に含んでいる、形態１４〜２４の方法。
【００８８】
形態２８：熱伝達システムが中温冷却システムである、形態１４〜２７の方法。
形態２９：（ａ）既存の熱伝達流体としてＨＦＣ−４０４Ａを含む既存の熱伝達システムを与え；
（ｂ）既存の熱伝達流体の少なくとも一部をシステムから除去して、満充填未満のシステムを生成させ；
（ｃ）満充填未満のシステムに、（ｉ）約２０％重量〜約３０重量％のＨＦＣ−３２；（ｉｉ）約２０重量％〜約３０重量％のＨＦＣ−１２５；（ｉｉｉ）約０重量％〜約１５重量％のＨＦＯ−１２３４ｚｅ；（ｉｖ）約１５重量％〜約３０重量％のＨＦＯ−１２３４ｙｆ；及び（ｖ）約１５重量％〜約３０重量％のＨＦＣ−１３４ａ；（ここで、重量パーセントは組成物中の成分（ｉ）〜（ｖ）の合計を基準とする）を含む再充填冷媒を加え、かかる添加工程によって、約２５重量％〜約７５重量％の再充填冷媒を含む冷媒をその中に含んでいる少なくとも実質的に満充填のシステムを生成させる；
ことを含む、熱伝達システム内に含まれている既存の熱伝達流体を交換する方法。
【００８９】
形態３０：形態１４〜２９のいずれかの方法によって形成される再充填された熱伝達システム。
形態３１：既存の冷却システム内の冷媒を部分的に交換するための、
（ａ）約１０重量％〜約３５重量％のＨＦＣ−３２；
（ｂ）約１０重量％〜約３５重量％のＨＦＣ−１２５；
（ｃ）０重量％より多く約３０重量％までのＨＦＯ−１２３４ｚｅ；
（ｄ）約１０重量％〜約３５重量％のＨＦＣ−１３４ａ；及び
（ｅ）約０重量％より多く約３０重量％までのＨＦＯ−１２３４ｙｆ；（ここで、パーセントは冷媒の全重量を基準とする）
を含む冷媒組成物の使用。
【００９０】
形態３２：冷媒組成物が、
（ａ）約１０重量％〜約３５重量％のＨＦＣ−３２；
（ｂ）約１０重量％〜約３５重量％のＨＦＣ−１２５；
（ｃ）０重量％より多く約３０重量％までのＨＦＯ−１２３４ｚｅ；
（ｄ）約１０重量％〜約３５重量％のＨＦＣ−１３４ａ；及び
（ｅ）０重量％より多く約３０重量％までのＨＦＯ−１２３４ｙｆ；（ここで、パーセントは冷媒の全重量を基準とする）
を含む、形態３１に記載の使用。
【００９１】
形態３３：冷媒組成物が、
（ａ）約２０重量％〜約３０重量％のＨＦＣ−３２；
（ｂ）約２０重量％〜約３０重量％のＨＦＣ−１２５；
（ｃ）約５重量％〜約２０重量％のＨＦＯ−１２３４ｚｅ；
（ｄ）約１５重量％〜約２５重量％のＨＦＣ−１３４ａ；及び
（ｅ）約１０重量％〜約２５重量％のＨＦＯ−１２３４ｙｆ；（ここで、パーセントは冷媒の全重量を基準とする）
を含む、形態３１に記載の使用。
【００９２】
形態３４：冷媒組成物が、
（ａ）約２４重量％〜約２７重量％のＨＦＣ−３２；
（ｂ）約２４重量％〜約２７重量％のＨＦＣ−１２５；
（ｃ）約５重量％〜約１０重量％のＨＦＯ−１２３４ｚｅ；
（ｄ）約１９重量％〜約２２重量％のＨＦＣ−１３４ａ；及び
（ｅ）約１５重量％〜約２５重量％のＨＦＯ−１２３４ｙｆ；（ここで、パーセントは冷媒の全重量を基準とする）
を含む、形態３１に記載の使用。
【００９３】
形態３５：冷媒組成物が、
２０〜３０重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、及び１０〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１５〜２５重量％のＨＦＣ−１３４ａ、１５〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１０〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１０〜２５重量％のＨＦＯ−１２３４ｙｆ；
２０〜３０重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２０〜３０重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜２０重量％のＨＦＣ−１２３４ｚｅ、１９〜２２重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１５〜２５重量％のＨＦＣ−１３４ａ、１５〜２５重量％のＨＦＯ−１２３４ｙｆ；
２４〜２７重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１０〜２５重量％のＨＦＯ−１２３４ｙｆ；及び
２４〜２７重量％のＨＦＣ−３２、２４〜２７重量％のＨＦＣ−１２５、５〜１０重量％のＨＦＣ−１２３４ｚｅ、１９〜２２重量％のＨＦＣ−１３４ａ、１５〜２５重量％のＨＦＯ−１２３４ｙｆ；
（ここで、パーセントは冷媒の全重量を基準とする）
からなる群から選択される、形態３１に記載の使用。
【００９４】
形態３６：冷媒組成物が、約２６重量％のＨＦＣ−３２、約２６重量％のＨＦＣ−１２５、約７重量％のＨＦＯ−１２３４ｚｅ、２１重量％のＨＦＣ−１３４ａ、及び約２０重量％のＨＦＯ−１２３４ｙｆを含み、ここでパーセントは冷媒の全重量を基準とする、形態３１の記載の使用。
【００９５】
形態３７：既存の冷却システム内のＲ−４０４Ａを部分的に交換するための、形態３１〜３６のいずれかに記載の使用。
形態３８：冷却システムが中温冷却システムである、形態３１〜３７のいずれかに記載の使用。
【００９６】
形態３９：中温システムが、約−１５℃〜約０℃の範囲の少なくとも一部で運転する蒸発器、及び約２０℃〜約５０℃の範囲の少なくとも一部の温度で運転する凝縮器を有する圧縮冷却システムである、形態３８に記載の使用。
【００９７】
形態４０：冷却システムが低温冷却システムである、形態３１〜３７のいずれかに記載の使用。
形態４１：低温システムが、約−４０℃〜約−１５℃の範囲の少なくとも一部で運転する蒸発器、及び約２０℃〜約５０℃の範囲の少なくとも一部で運転する凝縮器を有する圧縮冷却システムである、形態１０に記載の使用。
【００９８】
形態４２：（ａ）冷媒が満充填未満である熱伝達システムを与え；
（ｂ）工程（ａ）の満充填未満のシステムに、形態３１〜３６のいずれかに記載の冷媒組成物を加え、
（ｉ）かかる添加工程によって少なくとも実質的に満充填のシステムを生成させる；
ことを含む、既存の熱伝達システムを再充填する方法。
【００９９】
形態４３：再充填後の冷媒が、システム内の冷媒の全重量を基準として約２５重量％〜約７５重量％の再充填冷媒をその中に含む、形態４２に記載の方法。
形態４４：工程（ａ）における冷媒がＲ−４０４Ａを含む、形態４２又は形態４３に記載の方法。
【０１００】
形態４５：システム内に含まれる冷媒が、再充填が完了した後のシステム内の冷媒組成物の全重量を基準として約３０％〜約７０％、約３５〜約６５％、又は約４０〜約６０％の再充填冷媒を含んでいてよい、形態４２〜４４のいずれかに記載の方法。
【０１０１】
形態４６：再充填システムの能力が、再充填の前の同じシステムの能力よりも少なくとも約１０５％高く、更により好ましくは少なくとも約１０７％高い、形態４２〜４５のいずれかに記載の方法。
【０１０２】
形態４７：再充填システムの効率（ＣＯＰによって測定）が、再充填の前のシステムのＣＯＰよりも少なくとも約１０５％高く、より好ましくは少なくとも約１０７％高く、更により好ましくは少なくとも約１０９％高い、形態４２〜４６のいずれかに記載の方法。
【０１０３】
形態４８：冷却システムが、空調システム（静置型及び可動型の空調システムの両方を含む）、冷却システム、又はヒートポンプシステムである、形態４２〜４７のいずれかに記載の方法。
【０１０４】
形態４９：冷却システムが、空調機、電気冷蔵庫、冷凍機（遠心圧縮機を用いる冷凍機を含む）である、形態４２〜４７のいずれかに記載の方法。
形態５０：冷媒充填物の一部（その部分は、その時点でシステム内に存在する充填物の５％、１０％、２５％、５０％、７５％より多くを含んでいてよい）をシステムから排液する、形態４２〜４９のいずれかに記載の方法。
【０１０５】
形態５１：（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の全重量を基準とする）
を含む冷媒組成物。
【０１０６】
形態５２：冷媒が約３％〜約１５％のＨＦＯ−１２３４ｙｆを含む、形態５１に記載の冷媒組成物。
形態５３：冷媒が約５％〜約１５％のＨＦＯ−１２３４ｙｆを含む、形態５１又は５２に記載の冷媒組成物。
【０１０７】
形態５４：冷媒が約８％〜約１２％のＨＦＯ−１２３４ｙｆを含む、形態５１〜５３のいずれかに記載の冷媒組成物。
形態５５：冷媒が約１％〜約５％のＨＦＯ−１２３４ｚｅを含む、形態５１〜５４のいずれかに記載の冷媒組成物。
【０１０８】
形態５６：冷媒が約２％〜約５％のＨＦＯ−１２３４ｚｅを含む、形態５１〜５５のいずれかに記載の冷媒組成物。
形態５７：冷媒が約２．５％〜約５％のＨＦＯ−１２３４ｚｅを含む、形態５１〜５６のいずれかに記載の冷媒組成物。
【０１０９】
形態５８：冷媒が約７％〜約１５％のＨＦＣ−１３４ａを含む、形態５１〜５７のいずれかに記載の冷媒組成物。
形態５９：冷媒が約１０％〜約１５％のＨＦＣ−１３４ａを含む、形態５１〜５８のいずれかに記載の冷媒組成物。
【０１１０】
形態６０：冷媒が約２０％〜約３２％のＨＦＣ−１４３ａを含む、形態５１〜５９のいずれかに記載の冷媒組成物。
形態６１：冷媒が約３３％〜約３７％のＨＦＣ−１２５を含む、形態５１〜６０のいずれかに記載の冷媒組成物。
【０１１１】
形態６２：冷媒が約１０％〜約１６％のＨＦＣ−３２を含む、形態５１〜６１のいずれかに記載の冷媒組成物。
形態６３：（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の全重量を基準とする）
を含む冷媒組成物。
【０１１２】
形態６４：冷媒が約５％〜約１５％のＨＦＯ−１２３４ｙｆを含む、形態６３に記載の冷媒組成物。
形態６５：冷媒が約８％〜約１２％のＨＦＯ−１２３４ｙｆを含む、形態６３又は６４に記載の冷媒組成物。
【０１１３】
形態６６：冷媒が約２％〜約５％のＨＦＯ−１２３４ｚｅを含む、形態６３〜６５のいずれかに記載の冷媒組成物。
形態６７：冷媒が約２．５％〜約５％のＨＦＯ−１２３４ｚｅを含む、形態６３〜６６のいずれかに記載の冷媒組成物。
【０１１４】
形態６８：冷媒が約１０％〜約１５％のＨＦＣ−１３４ａを含む、形態６３〜６７のいずれかに記載の冷媒組成物。
形態６９：冷媒が約２０％〜約３２％のＨＦＣ−１４３ａを含む、形態６３〜６８のいずれかに記載の冷媒組成物。
【０１１５】
形態７０：冷媒が約３３％〜約３７％のＨＦＣ−１２５を含む、形態６３〜６９のいずれかに記載の冷媒組成物。
形態７１：冷媒が約１０％〜約１６％のＨＦＣ−３２を含む、形態６３〜７０のいずれかに記載の冷媒組成物。
【０１１６】
形態７２：（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の全重量を基準とする）
を含む冷媒組成物。
【０１１７】
形態７３：冷媒が約８％〜約１２％のＨＦＯ−１２３４ｙｆを含む、形態７２に記載の冷媒組成物。
形態７４：冷媒が約２．５％〜約５％のＨＦＯ−１２３４ｚｅを含む、形態７２又は７３に記載の冷媒組成物。
【０１１８】
形態７５：冷媒が約２０％〜約３２％のＨＦＣ−１４３ａを含む、形態７２〜７４のいずれかに記載の冷媒組成物。
形態７６：冷媒が約３３％〜約３７％のＨＦＣ−１２５を含む、形態７２〜７５のいずれかに記載の冷媒組成物。
【０１１９】
形態７７：冷媒が約１０％〜約１６％のＨＦＣ−３２を含む、形態７２〜７６のいずれかに記載の冷媒組成物。
形態７８：（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約３２％のＨＦＣ−１４３ａ；
（ｖ）約３３％〜約３７％のＨＦＣ−１２５；及び
（ｖｉ）約１０％〜約１６％のＨＦＣ−３２；（ここで、パーセントは冷媒の全重量を基準とする）
を含む冷媒組成物。
【０１２０】
形態７９：（ｉ）４％のＨＦＯ−１２３４ｙｆ；
（ｉｉ）１４％のＨＦＯ−１２３４ｚｅ；
（ｉｉｉ）７％のＨＦＣ−１３４ａ；
（ｉｖ）４２％のＨＦＣ−１４３ａ；
（ｖ）４％のＨＦＣ−１２５；及び
（ｖｉ）５％のＨＦＣ−３２；（ここで、パーセントは冷媒の重量を全基準とする）
を含む冷媒組成物。
【０１２１】
形態８０：（ｉ）１２％のＨＦＯ−１２３４ｙｆ；
（ｉｉ）４％のＨＦＯ−１２３４ｚｅ；
（ｉｉｉ）１４％のＨＦＣ−１３４ａ；
（ｉｖ）２１％のＨＦＣ−１４３ａ；
（ｖ）３３％のＨＦＣ−１２５；及び
（ｖｉ）１６％のＨＦＣ−３２；（ここで、パーセントは冷媒の重量を全基準とする）
を含む冷媒組成物。
【０１２２】
形態８１：（ｉ）８％のＨＦＯ−１２３４ｙｆ；
（ｉｉ）３％のＨＦＯ−１２３４ｚｅ；
（ｉｉｉ）１１％のＨＦＣ−１３４ａ；
（ｉｖ）３１％のＨＦＣ−１４３ａ；
（ｖ）３７％のＨＦＣ−１２５；及び
（ｖｉ）１０％のＨＦＣ−３２；（ここで、パーセントは冷媒の重量を全基準とする）
を含む冷媒組成物。
【０１２３】
形態８２：（ｉ）１６％のＨＦＯ−１２３４ｙｆ；
（ｉｉ）６％のＨＦＯ−１２３４ｚｅ；
（ｉｉｉ）１８％のＨＦＣ−１３４ａ；
（ｉｖ）１０％のＨＦＣ−１４３ａ；
（ｖ）３０％のＨＦＣ−１２５；及び
（ｖｉ）２１％のＨＦＣ−３２；（ここで、パーセントは冷媒の重量を全基準とする）
を含む冷媒組成物。
【０１２４】
形態８３：形態５１〜８２のいずれかに記載の冷媒組成物、及び潤滑剤を含む組成物。
形態８４：潤滑剤が組成物の約３０〜約５０重量％の量で存在する、形態８３に記載の組成物。
【０１２５】
形態８５：潤滑剤が組成物の５０重量％以上の量で存在する、形態８３に記載の組成物。
形態８６：潤滑剤が組成物の５重量％以下の量で存在する、形態８３に記載の組成物。
【０１２６】
形態８７：潤滑剤が、ポリオールエステル（ＰＯＥ）、或いはポリアルキレングリコール（ＰＡＧ）又はＰＡＧオイルである、形態８３〜８６のいずれかに記載の組成物。
形態８８：潤滑剤がポリオールエステル（ＰＯＥ）である、形態８３〜８６のいずれかに記載の組成物。
【０１２７】
形態８９：約２５００未満の地球温暖化係数（ＧＷＰ）を有する、形態５１〜８８のいずれかに記載の組成物。
形態９０：約２４００未満の地球温暖化係数（ＧＷＰ）を有する、形態５１〜８８のいずれかに記載の組成物。
【０１２８】
形態９１：約１５００未満の地球温暖化係数（ＧＷＰ）を有する、形態５１〜８８のいずれかに記載の組成物。
形態９２：形態５１〜９１のいずれかに記載の組成物を含む冷却システム。
【０１２９】
形態９３：冷却システムが中温冷却システムである、形態９２に記載の冷却システム。
形態９４：冷却システムが低温冷却システムである、形態９２に記載の冷却システム。
形態９５：冷却システムが元々はＲ−４０４Ａと共に用いるように設計されていた、形態９２〜９４のいずれかに記載の冷却システム。
【図１】
2018535296.tif 000011
【図２】
2018535296.tif 000012
【図３】
2018535296.tif 000013
【図４】
2018535296.tif 000014
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
（ｉ）約２．５％〜約１５％のＨＦＯ−１２３４ｙｆ；
（ｉｉ）約０．５％〜約５％のＨＦＯ−１２３４ｚｅ；
（ｉｉｉ）約５％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む冷媒組成物。
【請求項２】
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、請求項１に記載の冷媒組成物。
【請求項３】
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、請求項１に記載の冷媒組成物。
【請求項４】
（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約３２％のＨＦＣ−１４３ａ；
（ｖ）約３３％〜約３７％のＨＦＣ−１２５；及び
（ｖｉ）約１０％〜約１６％のＨＦＣ−３２；（ここで、パーセントは冷媒の重量を基準とする）
を含む、請求項１に記載の冷媒組成物。
【請求項５】
冷媒が約２５００未満又は約１５００未満の地球温暖化係数を有する、請求項１〜４のいずれかに記載の冷媒組成物。
【請求項６】
（ａ）流体連絡している少なくとも１つの圧縮機、凝縮器、及び蒸発器；
（ｂ）請求項１〜５のいずれかに記載の冷媒組成物であって、システム内に含まれている冷媒組成物；
を含む冷却システム。
【請求項７】
冷却システムが中温冷却システム又は低温冷却システムである、請求項６に記載の冷却システム。
【請求項８】
冷却システムが元々はＲ−４０４Ａと共に用いるように設計されていた、請求項６に記載の冷却システム。
【請求項９】
ポリオールエステル（ＰＯＥ）及びポリアルキレングリコール（ＰＡＧ）から選択される潤滑剤を更に含む、請求項５〜８のいずれかに記載の冷却システム。
【請求項１０】
（ａ）冷媒が満充填未満である熱伝達システムを与え；
（ｂ）工程（ａ）の満充填未満のシステムに、
（ｉ）約２０％重量〜約３０重量％のＨＦＣ−３２；
（ｉｉ）約２０重量％〜約３０重量％のＨＦＣ−１２５；
（ｉｉｉ）０重量％より多く約３０重量％までのＨＦＯ−１２３４ｙｆ；
（ｉｖ）０重量％より多く約３０重量％までのＨＦＯ−１２３４ｚｅ；及び
（ｖ）約１５重量％〜約３０重量％のＨＦＣ−１３４ａ；（ここで、重量パーセントは成分（ｉ）〜（ｖ）の合計を基準とする）
を含む再充填冷媒組成物を加え、かかる添加工程によって少なくとも実質的に満充填のシステムを生成させる；
ことを含む、既存の熱伝達システムを再充填する方法。
【請求項１１】
再充填後の冷媒が、システム内の冷媒の全重量を基準として約２５重量％〜約７５重量％の再充填冷媒、又はシステム内の冷媒の全重量を基準として約３０重量％〜約７０重量％の再充填冷媒をその中に含む、請求項１０に記載の方法。
【請求項１２】
工程（ａ）における冷媒がＲ−４０４Ａを含む、請求項１０又は１１に記載の方法。
【請求項１３】
再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、請求項１０〜１３のいずれかに記載の方法。
【請求項１４】
再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、請求項１０〜１３のいずれかに記載の方法。
【請求項１５】
（ａ）既存の熱伝達流体としてＨＦＣ−４０４Ａを含む既存の熱伝達システムを与え；
（ｂ）既存の熱伝達流体の少なくとも一部をシステムから除去して、満充填未満のシステムを生成させ；
（ｃ）満充填未満のシステム中に、
（ｉ）約２０％重量〜約３０重量％のＨＦＣ−３２；
（ｉｉ）約２０重量％〜約３０重量％のＨＦＣ−１２５；
（ｉｉｉ）０重量％より多く約１５重量％までのＨＦＯ−１２３４ｚｅ；
（ｉｖ）０重量％より多く約３０重量％までのＨＦＯ−１２３４ｙｆ；及び
（ｖ）約１５重量％〜約３０重量％のＨＦＣ−１３４ａ；（ここで、重量パーセントは再充填冷媒中の成分（ｉ）〜（ｖ）の合計を基準とする）
を含む再充填冷媒を加える；
ことを含む、熱伝達システム内に含まれている既存の熱伝達流体を交換する方法。
【手続補正２】
【補正対象書類名】明細書
【補正対象項目名】０１２９
【補正方法】変更
【補正の内容】
【０１２９】
形態９３：冷却システムが中温冷却システムである、形態９２に記載の冷却システム。
形態９４：冷却システムが低温冷却システムである、形態９２に記載の冷却システム。
形態９５：冷却システムが元々はＲ−４０４Ａと共に用いるように設計されていた、形態９２〜９４のいずれかに記載の冷却システム。
本発明は以下の態様を含む。
［１］
（ａ）流体連絡している少なくとも１つの圧縮機、凝縮器、及び蒸発器；
（ｂ）（ｉ）約２．５％〜約１５％のＨＦＯ−１２３４ｙｆ；
（ｉｉ）約０．５％〜約６％のＨＦＯ−１２３４ｚｅ；
（ｉｉｉ）約５％〜約１５％のＨＦＣ-１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、システム内に含まれている冷媒；
を含む冷却システム。
［２］
冷媒が、
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；
を含む、［１］に記載の冷却システム。
［３］
冷媒が、
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ-３２；
を含む、［１］に記載の冷却システム。
［４］
冷媒が、
（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約約３２％のＨＦＣ−１４３ａ；
（ｖ）約３３％〜約３７％のＨＦＣ−１２５；及び
（ｖｉ）約１０％〜約１６％のＨＦＣ−３２；
を含む、［１］に記載の冷却システム。
［５］
冷却システムが中温冷却システムである、［１］〜［４］のいずれかに記載の冷却システム。
［６］
冷却システムが低温冷却システムである、［１］〜［４］のいずれかに記載の冷却システム。
［７］
冷却システムが元々はＲ−４０４Ａと共に用いるように設計されていた、［１］〜［６］のいずれかに記載の冷却システム。
［８］
冷媒が約２５００未満の地球温暖化係数を有する、［１］〜［７］のいずれかに記載の冷却システム。
［９］
冷媒が約１５００未満の地球温暖化係数を有する、［１］〜［８］のいずれかに記載の冷却システム。
［１０］
ポリオールエステル（ＰＯＥ）及びポリアルキレングリコール（ＰＡＧ）から選択される潤滑剤を更に含む、［１］〜［９］のいずれかに記載の冷却システム。
［１１］
（ａ）冷媒が満充填未満である熱伝達システムを与え；
（ｂ）工程（ａ）の満充填未満のシステムに、
（ｉ）約２０％重量〜約３０重量％のＨＦＣ−３２；
（ｉｉ）約２０重量％〜約３０重量％のＨＦＣ−１２５；
（ｉｉｉ）０重量％より多く約３０重量％までのＨＦＯ−１２３４ｙｆ；
（ｉｖ）０重量％より多く約３０重量％までのＨＦＯ−１２３４ｚｅ；及び
（ｖ）約１５重量％〜約３０重量％のＨＦＣ−１３４ａ；（ここで、重量パーセントは成分（ｉ）〜（ｖ）の合計を基準とする）
を含む再充填冷媒組成物を加え、かかる添加工程によって少なくとも実質的に満充填のシステムを生成させる；
ことを含む、既存の熱伝達システムを再充填する方法。
［１２］
再充填後の冷媒が、システム内の冷媒の全重量を基準として約２５重量％〜約７５重量％の再充填冷媒をその中に含む、［１１］に記載の方法。
［１３］
工程（ａ）における冷媒がＲ−４０４Ａを含む、［１１］又は［１２］に記載の方法。
［１４］
再充填組成物が、０重量％より多く約１５重量％までのＨＦＯ−１２３４ｚｅ、及び約１０重量％〜約３０重量％のＨＦＯ−１２３４ｙｆを含む、［１１］〜［１３］のいずれかに記載の方法。
［１５］
再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、［１１］〜［１３］のいずれかに記載の方法。
［１６］
再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、［１１］〜［１３］のいずれかに記載の方法。
［１７］
再充填後の冷媒が、システム内の冷媒の全重量を基準として約３０重量％〜約７０重量％の再充填冷媒をその中に含む、［１１］〜［１６］のいずれかに記載の方法。
［１８］
熱伝達システムが中温冷却システムである、［１１］〜［１７］のいずれかに記載の方法。
［１９］
熱伝達システムが低温冷却システムである、［１１］〜［１７］のいずれかに記載の方法。
［２０］
（ａ）既存の熱伝達流体としてＨＦＣ−４０４Ａを含む既存の熱伝達システムを与え；
（ｂ）既存の熱伝達流体の少なくとも一部をシステムから除去して、満充填未満のシステムを生成させ；
（ｃ）満充填未満のシステム中に、
（ｉ）約２０％重量〜約３０重量％のＨＦＣ−３２；
（ｉｉ）約２０重量％〜約３０重量％のＨＦＣ−１２５；
（ｉｉｉ）０重量％より多く約１５重量％までのＨＦＯ−１２３４ｚｅ；
（ｉｖ）０重量％より多く約３０重量％までのＨＦＯ−１２３４ｙｆ；及び
（ｖ）約１５重量％〜約３０重量％のＨＦＣ−１３４ａ；（ここで、重量パーセントは再充填冷媒中の成分（ｉ）〜（ｖ）の合計を基準とする）
を含む再充填冷媒を加える；
ことを含む、熱伝達システム内に含まれている既存の熱伝達流体を交換する方法。
［２１］
交換後の熱伝達流体が、システム内の冷媒の全重量を基準として約２５重量％〜約７５重量％の再充填冷媒をその中に含む、［２０］に記載の方法。
［２２］
再充填組成物が、０重量％より多く約１５重量％までのＨＦＯ−１２３４ｚｅ、及び約１０重量％〜約３０重量％のＨＦＯ−１２３４ｙｆを含む、［２０］又は［２１］に記載の方法。
［２３］
熱伝達システムが中温冷却システムである、［２０］〜［２２］のいずれかに記載の方法。
［２４］
熱伝達システムが低温冷却システムである、［２０］〜［２３］のいずれかに記載の方法。
［２５］
再充填冷媒組成物が、
約２０重量％〜約３０重量％のＨＦＣ−３２；
約２０重量％〜約３０重量％のＨＦＣ−１２５；
約５重量％〜約２０重量％のＨＦＯ−１２３４ｚｅ；
約１５重量％〜約２５重量％のＨＦＣ−１３４ａ；及び
約１０重量％〜約２５重量％のＨＦＯ−１２３４ｙｆ；
を含む、［２０］〜［２４］のいずれかに記載の方法。
［２６］
再充填冷媒組成物が、
約２４重量％〜約２７重量％のＨＦＣ−３２；
約２４重量％〜約２７重量％のＨＦＣ−１２５；
約５重量％〜約１０重量％のＨＦＯ−１２３４ｚｅ；
約１９重量％〜約２２重量％のＨＦＣ−１３４ａ；及び
約１５重量％〜約２５重量％のＨＦＯ−１２３４ｙｆ；
を含む、［２０］〜［２４］のいずれかに記載の方法。
［２７］
再充填後の冷媒が、システム内の冷媒の全重量を基準として約３０重量％〜約７０重量％の再充填冷媒をその中に含む、［２０］〜［２６］のいずれかに記載の方法。
［２８］
［１１］〜［２７］のいずれかに記載の方法によって形成される再充填した熱伝達システム。
［２９］
（ｉ）約２．５％〜約１５％のＨＦＯ−１２３４ｙｆ；
（ｉｉ）約０．５％〜約５％のＨＦＯ−１２３４ｚｅ；
（ｉｉｉ）約５％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む冷媒組成物。
［３０］
（ｉ）約３％〜約１５％のＨＦＯ−１２３４ｙｆ；
（ｉｉ）約１％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、［２９］に記載の冷媒組成物。
［３１］
（ｉ）約５％〜約１５％のＨＦＯ−１２３４ｙｆ；
（ｉｉ）約２％〜約５％のＨＦＯ−１２３４ｚｅ；
（ｉｉｉ）約７％〜約１５％のＨＦＣ−１３４ａ；
（ｉｖ）約２０％〜約４５％のＨＦＣ−１４３ａ；
（ｖ）約３０％〜約４０％のＨＦＣ−１２５；及び
（ｖｉ）約５％〜約２０％のＨＦＣ−３２；（ここで、パーセントは冷媒の重量を基準とする）
を含む、［２９］に記載の冷媒組成物。
［３２］
（ｉ）約８％〜約１２％のＨＦＯ−１２３４ｙｆ；
（ｉｉ）約２．５％〜約５％のＨＦＯ−１２３４ｚｅ；
（ｉｉｉ）約１０％〜約１５％のＨＦＣ−１３４ａ；
（ｉｖ）約２０％〜約３２％のＨＦＣ−１４３ａ；
（ｖ）約３３％〜約３７％のＨＦＣ−１２５；及び
（ｖｉ）約１０％〜約１６％のＨＦＣ−３２；（ここで、パーセントは冷媒の重量を基準とする）
を含む、［２９］に記載の冷媒組成物。
【国際調査報告】
2018535296.tif 000015
2018535296.tif 000016
2018535296.tif 000017
2018535296.tif 000018